(57)【要約】      （修正有）【課題】ナットの締結作業を行う際の作業性を向上させるトルクレンチを提供する。【解決手段】ナットの締結作業に用いられるトルクレンチであって、互いに分離された第１の頭部５ａ及び第２の頭部５ｂからなり、第１の頭部の先端と、第２の頭部の先端との間に組み込み開口部５０が形成された頭部と、頭部を支持する頭部支持部４と、頭部支持部に設けられ、第１の頭部の時計周り方向における揺動を許容する第１の揺動軸部７と、頭部支持部に設けられ、第２の頭部の時計周り方向における揺動を許容する第２の揺動軸部８と、を有し、時計回り方向に揺動する第１の頭部を反時計周り方向に付勢する付勢部（ねじりバネ１０）を有する。【選択図】図２
0003195216.tif 000002
【実用新案登録請求の範囲】
【請求項１】
ナットの締結作業に用いられるトルクレンチであって、
互いに分離された第１の頭部及び第２の頭部からなり、前記第１の頭部の先端と、前記第２の頭部の先端との間に組み込み開口部が形成された頭部と、
前記頭部を支持する頭部支持部と、
前記頭部支持部に設けられ、前記第１の頭部の時計周り方向における揺動を許容する第１の揺動軸部と、
前記頭部支持部に設けられ、前記第２の頭部の時計周り方向における揺動を許容する第２の揺動軸部と、を有し、
時計回り方向に揺動する前記第１の頭部を反時計周り方向に付勢する付勢部を有することを特徴とするトルクレンチ。
【請求項２】
前記付勢部は、ねじりバネであることを特徴とする請求項１に記載のトルクレンチ。
【請求項３】
前記頭部におけるナットを保持する保持面は、互いに長さが等しい五つの辺によって形成されていることを特徴とする請求項１又は２に記載のトルクレンチ。
【請求項４】
前記頭部におけるナットを保持する保持面は、互いに長さが等しい少なくとも二十一の辺によって形成されていることを特徴とする請求項１又は２に記載のトルクレンチ。
【考案の詳細な説明】
【技術分野】
【０００１】
本考案は、配管工具などに用いられるトルクレンチに関するものである。
【背景技術】
【０００２】
ナットの締め付けに用いられる工具として、トルクレンチが知られている。トルクレンチを用いた締結作業として、エアコン用配管の途中に締結されるフレアナットにトルクレンチの頭部を嵌合させて、フレアナットを締結する方法が知られている。
【先行技術文献】
【特許文献】
【０００３】
【特許文献１】特許第４４１０９９９号明細書
【考案の概要】
【考案が解決しようとする課題】
【０００４】
上述の締結作業を行う際に、トルクレンチの頭部を配管に対して容易に滑り込ますことができれば、作業性が向上する。また、フレアナットにトルクレンチの頭部を嵌合させた状態で、トルクレンチをフレアナットの軸周りに往復移動させるだけで、締結作業が可能、つまり、ラチェット機能を備えていれば、作業性が向上する。
【課題を解決するための手段】
【０００５】
上記課題を解決するために、本願考案は、（１）ナットの締結作業に用いられるトルクレンチであって、互いに分離された第１の頭部及び第２の頭部からなり、前記第１の頭部の先端と、前記第２の頭部の先端との間に組み込み開口部が形成された頭部と、前記頭部を支持する頭部支持部と、前記頭部支持部に設けられ、前記第１の頭部の時計周り方向における揺動を許容する第１の揺動軸部と、前記頭部支持部に設けられ、前記第２の頭部の時計周り方向における揺動を許容する第２の揺動軸部と、を有し、時計回り方向に揺動する前記第１の頭部を反時計周り方向に付勢する付勢部を有することを特徴とする。
【０００６】
（２）上記（１）の構成において、前記付勢部は、ねじりバネであってもよい。
【０００７】
（３）上記（１）又は（２）の構成において、前記頭部におけるナットを保持する保持面は、互いに長さが等しい五つの辺によって形成されていてもよい。
【０００８】
（４）上記（１）又は（２）の構成において、前記頭部におけるナットを保持する保持面は、互いに長さが等しい少なくとも二十一の辺によって形成されていてもよい。
【考案の効果】
【０００９】
本考案によれば、トルクレンチの頭部を配管に対して容易に滑り込ますことができるため、作業性が向上する。また、フレアナットにトルクレンチの頭部を嵌合させた状態で、トルクレンチをフレアナットの軸周りに往復移動させることができるため、フレアナットの締結作業が容易となる。
【図面の簡単な説明】
【００１０】
【図１】トルクレンチの全体図である。
【図２】頭部支持部及び頭部の拡大図である（閉じ状態）。
【図３】頭部支持部及び頭部の拡大図である（小開き状態）。
【図４】頭部支持部及び頭部の拡大図である（中開き状態）。
【図５】頭部支持部及び頭部の拡大図である（全開状態）。
【図６】図２に対応した第２実施形態の拡大図である。
【考案を実施するための形態】
【００１１】
（第１実施形態）
図１はトルクレンチの全体図である。トルクレンチ１は、ラチェット機能を有しており、把持部２、ケーシング３、頭部支持部４及び頭部５を備える。把持部２は、トルクレンチ１の基端部に形成されており、締結作業を行う際に、作業者が把持する部分である。ケーシング３の先端部には、ケーシング回転軸３aが形成されている。締結作業を行う際に、締結トルクが限界値を超えると、ケーシング回転軸３aを回転軸として、ケーシング３及び把持部２が一体的に頭部支持部４に対して倒れ込むようになっている。これにより、フレアナットなどに過剰な負荷が加わることを防止できる。ただし、この倒れ機構は省略することができる。
【００１２】
頭部５は、第１の頭部５a及び第２の頭部５ｂから構成されており、第１の頭部５aはケーシング３に形成された第１の揺動軸７周りに揺動可能に構成されており、第２の頭部５ｂはケーシング３に形成された第２の揺動軸８周りに揺動可能に構成されている。
【００１３】
第１の頭部５a及び第２の頭部５ｂは構造的に分断されているが、図１に示す閉じ状態において、一つの頭部５を形成している。頭部５は、互いに長さが等しい５つの辺からなるフレアナットを保持する保持面を有しており、これらの内面にフレアナットを接触させた状態で、トルクレンチを回すことで、締結作業を行うことができる。頭部５には、さらに、エアコン用配管、フレアナットなどを内面側に組み込むための組み込み開口部５０が形成されている。この組み込む開口部５０は、第１の頭部５ａの先端と、第２の頭部５ｂの先端との間に形成されている。第１の頭部５ａは、フック状に形成されている。
【００１４】
第１の頭部５ａのフレアナットを保持する面を第１の保持面５０ａ、第２の頭部５ｂのフレアナットを保持する面を第２の保持面５０ｂとしたときに、第１の保持面５０ａと第１の揺動軸７との距離は、第２の保持面５０ｂと第２の揺動軸８との距離よりも長い。
【００１５】
図２は、頭部支持部４及び頭部５の拡大図であり、頭部支持部４の内部を透視して図示した透視図でもある。第２の頭部５ｂの基端側には、凹状に形成されたバネ収容部５１ｂが設けられており、このバネ収容部５１ｂには、ねじりバネ１０が収容されている。このねじりバネ１０には、第１のバネ脚部１１及び第２のバネ脚部１２が形成されている。第１のバネ脚部１１の先端は、第１の頭部５ａにおける第１の揺動軸７よりも基端側であって、かつ、第１の揺動軸７よりも第２の頭部５ｂの基端部に近接した領域に取り付けられている。第２のバネ脚部１２の先端は、第２の揺動軸８とねじりバネ１０との間における、第２の揺動軸８に隣接した位置に取り付けられている。
【００１６】
ここで、図２に図示する状態から外力を加えて第１の頭部５ａを矢印Ａ１方向（時計周り方向）に揺動させると、第２のバネ脚部１２に接近する方向に第１のバネ脚部１１が押し込まれて、バネ力がチャージされる。すなわち、時計周り方向に揺動する第１の頭部５ａは、ねじりバネ１０によって、反時計周り方向に付勢される。したがって、外力を取り除くと、第１の頭部５ａは反時計周り方向に揺動して、図２に図示する位置に復帰する。なお、図２に図示する閉じ位置において、第１の頭部５ａ及び第２の頭部５ｂを反時計周り方向に揺動させることができないことは言うまでもない。
【００１７】
また、第１の頭部５ａが時計周り方向に揺動すると、第１の頭部５ａの基端部によって第２の頭部５ｂが押し下げられ、第２の頭部５ｂが時計回り方向に揺動する。
【００１８】
次に、図３及び図４を参照しながら、トルクレンチ１をフレアナットの締め付け方向とは異なる方向（反時計回り方向）に回転させたときの頭部５の動作について説明する。図３は、トルクレンチ１を僅かに回転させた状態であり、図４は、トルクレンチ１をさらに回転させた状態を示している。
【００１９】
トルクレンチ１を矢印Ａ２方向（反時計周り方向）に回転させると（トルクレンチ１を戻し動作させると）、フレアナットＮから受ける反力によって、第１の頭部５ａは第１のバネ脚部１１のバネ力に抗しながら時計回り方向に揺動し、第２の頭部５ｂも時計回り方向に揺動する（図３）。
【００２０】
トルクレンチ１を矢印Ａ２方向にさらに回転させると、第１の頭部５ａ及び第２の頭部５ｂは、さらに時計周り方向に揺動する（図４）。フレアナットＮに沿った方向に第１の保持面５０ａなどが移動することで、フレアナットＮから加わる反力が減少する。その結果、チャージされた第１のバネ脚部１１のバネ力によって、第１の頭部５ａが図２の閉じ位置に復帰するとともに、第１の頭部５ａによって第２の頭部５ｂが押し下げられ、第２の頭部５ｂは図２の閉じ位置に復帰する。ここで、ねじりバネ１０のバネ定数は、上述の動作が実行可能な適宜の数値に設定することができる。
【００２１】
このように、本実施形態の構成によれば、第１の頭部５ａ及び第２の頭部５ｂを物理的に分断するとともに、ねじりバネ１０を実装することで、締結したフレアナットＮを緩めることなく、トルクレンチ１の戻し動作を行うことができる。これにより、フレアナットＮに対して頭部５を嵌合させた状態で、トルクレンチ１をフレアナットＮの軸周りに往復移動させることができ、締結作業を容易に行うことができる。また、トルクレンチ１の戻りストロークが大きくなるため、目標締結トルクに達するまでの往復移動の回数を減らすことができる。
【００２２】
また、組み込み開口部５０をエアコン用配管などに押し当て、頭部５をエアコン用配管などに向かって押し込むと、主として第１の頭部５ａが時計回り方向に揺動して、組み込み開口部５０が拡開する。これにより、エアコン用配管などを頭部５の内面側に容易に組み込むことができる。組み込み後、エアコン用配管に沿ってフレアナットＮの位置までトルクレンチ１をスライド移動させるだけで、トルクレンチ１を締結位置にセットすることができる。したがって、本実施形態のトルクレンチ１によれば、エアコン用配管等の障害物があっても、フレアナットＮなどの締結作業を簡単に行うことができる。
【００２３】
さらに、頭部５の内面を辺とすることで、角部が摩耗したフレアナット、精度、寸法などの悪いフレアナットを締結する際に、滑りが発生することを抑制できる。
【００２４】
図５は、図２の第１の頭部５ａを時計回り方向に大きく揺動させた状態を示している。第１の頭部５ａの水平方向に対する角度をθとしたとき、θが約９０°を超えると、第１のバネ脚部１１の取り付け位置が第１の揺動軸７よりも左側に移動する。そのため、第１の頭部５ａは、第１のバネ脚部１１によって時計回り方向に付勢される（つまり、付勢方向が反時計周り方向から時計周り方向に切り替わる）。その結果、第１の頭部５ａは、第１のバネ脚部１１のバネ力によって、図５に図示する位置まで、急速に移動する。また、この時、ねじりバネ１０が動くことで、第２の頭部５ｂも時計周り方向に大きく揺動する。このように、第１の頭部５ａ及び第２の頭部５ｂが大きく拡開することで、スペースに余裕がある作業場所での作業性を向上させることができる。また、図５の拡開動作は、θが９０°超となるように第１の頭部５ａを指で押し込むことで、簡単に行うことができる。
【００２５】
（第２実施形態）
図６を参照して、本実施形態は、頭部５における内面の形状が第１実施形態と異なり、互いに長さが等しい２１辺の小波形状に形成されている。なお、その他の構成は、第１実施形態と同様である。この小波形状部５１を備えたトルクレンチ１によれば、戻りストロークが小さく、小刻みな往復運動によって、フレアナットＮを締め付けることができる。ただし、小波形状部５１は、２１超の辺から構成することもできる。
【符号の説明】
【００２６】
１：トルクレンチ
２：把持部
３：ケーシング
３a：ケーシング回転軸
４：頭部支持部
５：頭部
１１：第１のバネ脚部
１２：第２のバネ脚部
５ａ：第１の頭部
５ｂ：第２の頭部
５０：組み込み開口部
【図１】
0003195216.tif 000003
【図２】
0003195216.tif 000004
【図３】
0003195216.tif 000005
【図４】
0003195216.tif 000006
【図５】
0003195216.tif 000007
【図６】
0003195216.tif 000008